(57)【要約】【課題】男性機能補助手段としての本来の機能を損なうことなく、ペニスサポータを開口端側から外側に折り曲げて反転させたり、逆に開口端を引き戻してペニス上に装着させたりする操作を極めて簡単に行うことができるペニスサポータを提供しようとするものである。【解決手段】弾性体からなる有底筒状体のペニスサポータであり、先端から開口端に向かって亀頭部と、亀頭固定環と、陰茎部とを備えるとともに、陰茎部内周面に、所定の間隔で薄肉部を全周にわたり形成したことを特徴とするペニスサポータ。【選択図】　　　　図１
2004097337.tif 000002
【特許請求の範囲】
【請求項１】
弾性体からなる有底筒状体のペニスサポータであり、先端から開口端に向かって亀頭部と、亀頭固定環と、陰茎部とを備えるとともに、陰茎部内周面に、所定の間隔で薄肉部を全周にわたり形成したことを特徴とするペニスサポータ。
【請求項２】
上記薄肉部を上記陰茎部の長手方向に複数列形成したことを特徴とする請求項１に記載のペニスサポータ。
【請求項３】
上記陰茎部の長手方向に複数列形成した薄肉部を、さらに周方向に不連続に形成したことを特徴とする請求項２に記載のペニスサポータ。
【請求項４】
上記薄肉部を上記陰茎部の長手方向に延びる構造とし、さらに陰茎部の周方向に複数列形成したことを特徴とする請求項１に記載のペニスサポータ。
【発明の詳細な説明】
【０００１】
【発明の属する技術分野】この発明は、男性機能に障害を持つ場合に、男性器に装着してペニスの勃起を助長させるとともに、勃起状態を維持して男性機能を補助するために用いるペニスサポータに関するものである。
【０００２】
【従来の技術】男性機能障害、すなわち性的刺激を受けても男性器が勃起しないいわゆるインポテンツ症を改善したりあるいは機能回復の補助手段として従来より様々な技術が提案されている。
【０００３】その中でも特に陰茎に被覆させるペニスサポータに類されるものに関しては、例えば特開昭６０−１５３８５７号（以下、先行技術１）、特開平２−２０３８５５号（以下、先行技術２）、特公平４−１０８１８号（登録第１８３３２８６号：以下、先行技術３）、特開平７−６７９０２号（登録第２６１３５４７号：以下、先行技術４）、特開平８−１０２７９号（以下、先行技術５）または実開昭６３−５９６１５号（以下、先行技術６）などがある。
【０００４】これらをさらに装着方法により分類すれば、先行技術１、２及び４のように筒状体にペニスを挿入して装着するタイプと先行技術３、５及び６のように陰茎に巻き付けて装着するタイプのものがある。
【０００５】また、先行技術１、２及び４は空気室を具えており、装着後に空気を注入して膨張させ、ペニスを圧迫することにより血液の逆流を抑止するようになっている。
【０００６】
【発明が解決しようとする課題】この種ペニスサポータに要求されるのは、良好な装着感もさることながら、これらの器具を装着した上でさらにコンドームを装着する場合が多いので、装着のし易さはきわめて重要である。
【０００７】しかしながら、上記いずれの先行技術も装着後の男性機能補助手段としての本来の機能にのみ主眼が置かれており、本来の機能を損なうことなく装着容易性まで考慮したものはない。特に、ペニスサポータを構成する弾性体は、あまり柔軟すぎると上記男性機能補助手段として有効に機能させることが難しく、また逆に硬すぎると装着のし易さという面で問題があった。以上の点を勘案してペニスサポータとしての条件を列記すると次のとおりである。
ａ）中折れや不完全勃起を補うためにはペニスサポータにそれを支えるための材質的強さ、張りが必要である。
ｂ）１００％の勃起ではなく、６０〜７０％の不完全勃起の状態では、サイズ的にも不足するので、ペニスサポータに厚さ３ｍｍ〜４ｍｍ、直径で６ｍｍ〜８ｍｍの肉厚を補うものとし、ペニスのサイズアップをはかることが必要である。
ｃ）ペニスサポータはペニスに密着し、完全に一体化することが必要である。
ｄ）素材は装着する男性側も、それを受け入れる女性側にもまったく違和感を感じさせないものであり、芯は固くても周囲は柔らかな感触のもので製作する必要がある。
ｅ）ペニスサポータの装着、取り外しは簡単であり、またスムーズに行われる必要がある。
【０００８】そのため、ある程度の硬さを保有しつつ、装着しやすいペニスサポータの構造について検討したところ、素材としてシリコンゴム等の柔軟な材質のものを使用することが望ましいことが判明した。しかしながら、上述のようにペニスサポータとして張り（芯の強さ）を求められ、そのためペニスサポータに所定の肉厚を持たせた場合、伸びが不足してペニスへの装着や取外しが困難となってしまうという欠点があった。そこで本発明者が鋭意研究を進めた結果、ペニスサポータに適宜間隔で所定幅の貫通溝をその長さ方向に形成することに想到したのである。
【０００９】しかしながら、このような所定間隔の貫通溝においては、弾性体の伸縮性を向上させ、男性機能補助するための装着感においては良好であることが判明した。しかし、ペニスサポータを開口端側から外側に折り曲げて反転させたり、逆に開口端を引き戻してペニス上に装着させたりするに際し、ペニスサポータはその開口端を引張って反転させたり、引き戻してペニス上に装着させたりするのであり、その際上記貫通溝が互いに引っかかって反転あるいは装着ができなくなってしまうという問題があった。
【００１０】そこでこの発明のペニスサポータは、上記問題点を解決するために発明されたもので、男性機能補助手段としての本来の機能を損なうことなく、ペニスサポータを開口端側から外側に折り曲げて反転させたり、逆に開口端を引き戻してペニス上に装着させたりする操作を極めて簡単に行うことができるペニスサポータを提供しようとするものである。
【００１１】
【課題を解決するための手段】すなわちこの発明のペニスサポータは、弾性体からなる有底筒状体のペニスサポータであり、先端から開口端に向かって亀頭部と、亀頭固定環と、陰茎部とを備えるとともに、陰茎部内周面に、所定の間隔で薄肉部を全周にわたり形成したことを特徴とするものである。
【００１２】この発明のペニスサポータは、上記薄肉部を上記陰茎部の長手方向に複数列形成したことをも特徴とするものである。
【００１３】またこの発明のペニスサポータは、上記陰茎部の長手方向に複数列形成した薄肉部を、さらに周方向に不連続に形成したことをも特徴とするものである。
【００１４】この発明のペニスサポータは、上記薄肉部を上記陰茎部の長手方向に延びる構造とし、さらに陰茎部の周方向に複数列形成したことをも特徴とするものである。
【００１５】
【発明の実施の形態】以下、この発明のペニスサポータの実施の形態について図面に基づき説明する。
図１はこの発明のペニスサポータの第１の実施例を示す側面図、図２はその正面図、図３はその断面図、図４はペニスへの装着段階を示し、ペニスサポータを開口端側から反転する中間状態の側面図、図５は反転し終わった状態の側面図、図６はこの発明のペニスサポータの他の実施例を示す側面図、図７はその断面図である。
【００１６】図１ないし図３において１は有底の筒状体からなるペニスサポータ本体、２は亀頭部、３は亀頭固定環、４は端部を開口した陰茎部で、この陰茎部４には適宜間隔でその長さ方向に複数の薄肉部５は配設されている。ペニスサポータ本体１は全体をゴム（生ゴム、シリコンゴム）、エラストマまたはラテックス等の柔軟性に富み、伸縮自在の素材で一体成形されている。そして素材は、使用者の精神的圧迫感を軽減するために透明か半透明、または素材中に蓄光顔料が混練されていてもよい。
【００１７】ペニスサポータ本体１の陰茎部４には、それぞれ長さ方向に隅角部をＲとしたほぼ矩形の薄肉部５が形成されている。図では薄肉部５のそれぞれが陰茎部４の長さ方向に沿って形成されており、薄肉部５の幅や陰茎部４の長さ方向に向かっての間隔その他の事項は、ペニスサポータ本体１に使用している素材の弾性力等を勘案して適宜決定することができる。また、薄肉部５は周方向に不連続に形成されており、薄肉部５の周方向の長さやその間隔等も適宜決定することができる。図では陰茎部４の内周に対向するよう一対の薄肉部５が形成されている。さらに薄肉部５の厚さも、ペニスサポータ本体１に使用している素材の弾性力等を勘案して適宜決定すればよい。
【００１８】ペニスサポータ本体１は、端部を開口した陰茎部４から、ペニスサポータ本体１の内周側を小径化するよう形成した亀頭固定環３を経て、ペニス先端を収納する亀頭部２まで一体的に形成されている。そして亀頭固定環３により、ペニスサポータ本体１はより確実にペニスに保持されるのである。図において６は亀頭部２の変形を防止するための半円状補強リング、７は亀頭部２の表面に点在させた小突起である。
【００１９】このように形成したこの発明のペニスサポータ本体１の使用に際しては、まず図４に示すように必要に応じてゼリーをペニスサポータ本体１表面に塗付しておき、その上で陰茎部４の開口端部を折り返していく。その際、ペニスサポータ本体１表面は平滑であるため、指で引っ張るだけでスムーズに折り返すことができる。
【００２０】さらに図５の状態まで折り返したら、亀頭部２にペニス先端の亀頭部分を当てた状態で、陰茎部４の開口端部を引き戻していく。その時、ペニスサポータ本体１の亀頭固定環３が亀頭部分の基部に係合するように配置することが必要である。そして図４の状態を経て、ペニスサポータ本体１でペニスを完全に包被することにより、装着が完了する。
【００２１】さらに、コンドームを使用する場合はその上に装着する。その場合にこのペニスサポータ本体１はコンドームの滑り止めとしても機能するものである。
【００２２】図６および図７は、この発明のペニスサポータの他の実施例を示している。この実施例においては、薄肉部５を上記陰茎部４の長手方向に延びる構造とし、そのほぼ全長にわたる長さに形成した上、それらを陰茎部４の周方向に複数列に形成しているものである。
【００２３】もちろん、この場合の薄肉部５も不連続であってよく、薄肉部５の長手方向の長さやその間隔等も適宜決定することができる。図では陰茎部４の周方向に等間隔で複数の薄肉部５が形成されている。さらに薄肉部５の厚さも、ペニスサポータ本体１に使用している素材の弾性力等を勘案して適宜決定すればよい。
【００２４】この例のペニスサポータの使用方法も、上記第１の実施例と変わるところがなく、上記実施例と同様に非常にスムーズにペニスに装着することができる。
【００２５】
【発明の効果】この発明のペニスサポータは以上のように構成したので、インポテンツ等の男性機能障害に対し、ペニスの勃起力の増大を図ることができるとともに、その装着が非常に容易であり、装着感もきわめて良好である。さらに、コンドームを使用した場合にも滑り止めとして機能するので安心して使用することができる。
【図面の簡単な説明】
【図１】この発明のペニスサポータの第１の実施例を示す側面図である。
【図２】その正面図である。
【図３】その断面図である。
【図４】ペニスへの装着段階を示し、ペニスサポータを開口端側から反転する中間状態の側面図である。
【図５】反転し終わった状態の側面図である。
【図６】この発明のペニスサポータの他の実施例を示す側面図である。
【図７】その断面図である。
【符号の説明】
１　ペニスサポータ本体
２　亀頭部
３　亀頭固定環
４　陰茎部
５　薄肉部
６　半円状補強リング
７　小突起
【図１】
2004097337.tif 000003
【図２】
2004097337.tif 000004
【図３】
2004097337.tif 000005
【図４】
2004097337.tif 000006
【図５】
2004097337.tif 000007
【図６】
2004097337.tif 000008
【図７】
2004097337.tif 000009